(57)【要約】【課題】排水弁体の早閉まりを抑制すること。【解決手段】実施形態に係る洗浄水タンク装置は、貯水タンクと、排水弁装置とを備える。貯水タンクは、洗浄水を貯留する。排水弁装置は、排水口を開閉する。排水弁装置は、小タンクと、制御筒と、フロートと、排水弁体とを有する。小タンクは、排水口を囲むように設けられる。制御筒は、小タンクの内方に配置される。フロートは、制御筒内に配置され制御筒内において上下動する。排水弁体は、内筒部内に配置されフロートと連動する軸部に設けられ、排水口を開閉する。制御筒は、外筒部と、内筒部と、下方筒部とを有する。外筒部は、フロートが内方に配置される。内筒部は、外筒部の内方に配置され、排水弁体が内方に配置される。下方筒部は、内筒部の下方で内筒部と連通し、排水弁体が内方に配置される。排水弁体と下方筒部との間の距離は軸部と内筒部との間の距離よりも大きい。【選択図】図５
2018109261.tif 000002
【特許請求の範囲】
【請求項１】
洗浄水を貯留する貯水タンクと、前記貯水タンクの底面に設けられ該貯水タンクに貯留される洗浄水を排出する排水口を開閉して該排水口から排出される洗浄水を制御する排水弁装置と、
を備える洗浄水タンク装置であって、
前記排水弁装置は、
前記排水口を上方から囲むように前記貯水タンクの前記底面に設けられる小タンクと、
前記小タンクの内方に配置され、上方が開口している制御筒と、
前記制御筒内に配置され該制御筒内において上下動するフロートと、
前記フロートと連動する軸部に設けられ、前記排水口を開閉する排水弁体と、
を有し、
前記制御筒は、
前記フロートが内方に配置される外筒部と、
前記外筒部の内方に配置され、前記軸部が内方に配置される内筒部と、
前記内筒部の下方において該内筒部と連通し、前記排水弁体が内方に配置される下方筒部と、
を有し、
前記排水弁体と前記下方筒部との間の距離が前記軸部と前記内筒部との間の距離よりも大きいこと
を特徴とする洗浄水タンク装置。
【請求項２】
前記フロートの上面は、
平面視で中心から外方へ向かう方向について下り傾斜していること
を特徴とする請求項１に記載の洗浄水タンク装置。
【請求項３】
前記内筒部の上端部は、
平面視で内方へ向けて突出している流路縮小部を有すること
を特徴とする請求項１または２に記載の洗浄水タンク装置。
【請求項４】
前記内筒部の高さが前記外筒部の高さよりも高いこと
を特徴とする請求項１〜３のいずれか１つに記載の洗浄水タンク装置。
【請求項５】
請求項１〜４のいずれか１つに記載の洗浄水タンク装置と、
便器と、
を備えること
を特徴とする水洗大便器。
【発明の詳細な説明】
【技術分野】
【０００１】
開示の実施形態は、洗浄水タンク装置および水洗大便器に関する。
【背景技術】
【０００２】
従来、洗浄水を貯留する洗浄水タンク装置には、貯水タンクの排水口を開閉するために、たとえば、小タンクと、制御筒と、フロートと、排水弁体とを備えるものがある。小タンクは、排水口を上方から囲むように配置される。制御筒は、小タンクの内方に配置される。フロートは、制御筒内に配置され、制御筒内の水位に応じて上下動する。排水弁体は、フロートと共に上下動して排水口を開閉する。
【０００３】
また、制御筒には、外筒部と、内筒部と、下方筒部とを備えるものがある。外筒部は、フロートが内方に配置される。内筒部は、外筒部の内方に配置され、下端部に排水弁体が取り付けられた軸部が内方に配置される。下方筒部は、内筒部の下方において内筒部と連通し、排水弁体が内方に配置される（たとえば、特許文献１参照）。
【先行技術文献】
【特許文献】
【０００４】
【特許文献１】特開２０１１−２４１５５４号公報
【発明の概要】
【発明が解決しようとする課題】
【０００５】
ところで、近年の節水化により、洗浄水をロスなく利用するために、洗浄水タンク装置から便器本体に供給される洗浄水の量について高い精度が要求されている。また、近年は、高さの低いコンパクトなデザイン（ローシルエット）の洗浄水タンク装置が増えてきている。
【０００６】
しかしながら、上記したような従来の洗浄水タンク装置では、排水弁体による開弁開始から閉弁までの間、制御筒の内筒部内に溜まった洗浄水が抜けきれずに、排水弁体の上方において内筒部内に溜まった洗浄水が錘（水錘）となって、排水弁体が設定された時間よりも早く閉まる、いわゆる早閉まりが起きることがある。早閉まりが起きると、便器本体に供給される洗浄水の量が設定された量よりも少なくなり、便器本体に洗浄不良や詰まりが発生するおそれがある。とくに、ローシルエットの洗浄水タンク装置においては、高さが低い分、フロートの上面が洗浄水の水面よりも上方に浮き上がるタイミングが早いため、早閉まりが顕著になる。
【０００７】
実施形態の一態様は、排水弁体の早閉まりを抑制することができる洗浄水タンク装置および水洗大便器を提供することを目的とする。
【課題を解決するための手段】
【０００８】
実施形態の一態様に係る洗浄水タンク装置は、洗浄水を貯留する貯水タンクと、前記貯水タンクの底面に設けられ該貯水タンクに貯留される洗浄水を排出する排水口を開閉して該排水口から排出される洗浄水を制御する排水弁装置と、を備える洗浄水タンク装置であって、前記排水弁装置は、前記排水口を上方から囲むように前記貯水タンクの前記底面に設けられる小タンクと、前記小タンクの内方に配置され、上方が開口している制御筒と、前記制御筒内に配置され該制御筒内において上下動するフロートと、前記フロートと連動する軸部に設けられ、前記排水口を開閉する排水弁体と、を有し、前記制御筒は、前記フロートが内方に配置される外筒部と、前記外筒部の内方に配置され、前記軸部が内方に配置される内筒部と、前記内筒部の下方において該内筒部と連通し、前記排水弁体が内方に配置される下方筒部と、を有し、前記排水弁体と前記下方筒部との間の距離が前記軸部と前記内筒部との間の距離よりも大きいことを特徴とする。
【０００９】
このような構成によれば、排水弁体と下方筒部との間の距離が軸部と内筒部との間の距離よりも大きいため、洗浄操作により排水弁体が下降している間に、内筒部の内方、および下方筒部の内方かつ排水弁体の上方に溜まった洗浄水が排水弁体と下方筒部との隙間から抜けやすくなる。これにより、排水弁体の上方に溜まった洗浄水が水錘として作用するのを抑えることができ、排水弁体の早閉まりを抑制することができる。
【００１０】
また、上記した洗浄水タンク装置では、前記フロートの上面は、平面視で中心から外方へ向かう方向について下り傾斜していることを特徴とする。
【００１１】
このような構成によれば、洗浄操作によりフロートが浮き上がるときに、上面の下り傾斜面によってフロートの水に対する抵抗力が小さくなるため、フロートの浮き上がり時間の遅延を抑えることができる。これにより、フロートが設定高さに到達する前に下降を開始することを抑えることができ、排水弁体の早閉まりを抑制することができる。
【００１２】
また、上記した洗浄水タンク装置では、前記内筒部の上端部は、平面視で内方へ向けて突出している流路縮小部を有することを特徴とする。
【００１３】
このような構成によれば、内筒部内に上方から洗浄水が浸入するのを抑えることができる。このため、排水弁体の上方に洗浄水が溜まりにくくなり、排水弁体の上方に溜まった洗浄水が水錘として作用するのを抑えることができる。これにより、排水弁体の早閉まりを抑制することができる。
【００１４】
また、上記した洗浄水タンク装置では、前記内筒部の高さが前記外筒部の高さよりも高いことを特徴とする。
【００１５】
このような構成によれば、洗浄操作により軸部を引き上げた場合に、内筒部の高さが外筒部の高さよりも高いことで、内筒部内に水が浸入するのを抑制することができる。排水弁体の上方に洗浄水が溜まりにくくなり、排水弁体の上方に溜まった洗浄水が水錘として作用するのを抑えることができる。これにより、排水弁体の早閉まりを抑制することができる。
【００１６】
実施形態の一態様に係る水洗大便器は、上述した洗浄水タンク装置と、便器と、を備えることを特徴とする。
【００１７】
このような構成によれば、排水弁体と下方筒部との間の距離が軸部と内筒部との間の距離よりも大きいため、洗浄操作により排水弁体が下降している間に、内筒部の内方および下方筒部の内方かつ排水弁体の上方に溜まった洗浄水が排水弁体と下方筒部との隙間から抜けやすくなる。これにより、排水弁体の上方に溜まった洗浄水が水錘として作用するのを抑えることができ、排水弁体の早閉まりを抑制することができる。
【発明の効果】
【００１８】
実施形態の一態様によれば、排水弁体の早閉まりを抑制することができる。
【図面の簡単な説明】
【００１９】
【図１】図１は、実施形態に係る水洗大便器の概略側面図である。
【図２】図２は、実施形態に係る洗浄水タンク装置の概略断面図である。
【図３】図３は、排水弁装置の組み立て概略斜視図である。
【図４】図４は、排水弁装置の概略断面図である。
【図５】図５は、排水弁体の動作説明図である。
【図６Ａ】図６Ａは、排水弁装置の排水動作説明図（その１）である。
【図６Ｂ】図６Ｂは、排水弁装置の排水動作説明図（その２）である。
【発明を実施するための形態】
【００２０】
以下、添付図面を参照して、本願の開示する洗浄水タンク装置および水洗大便器の実施形態を詳細に説明する。なお、以下に示す実施形態によりこの発明が限定されるものではない。
【００２１】
＜１．水洗大便器＞
まず、図１を参照して実施形態に係る水洗大便器１について説明する。図１は、実施形態に係る水洗大便器１の概略側面（一部断面）図である。なお、図１には、実施形態に係る水洗大便器１の右側面を示している。また、図１においては、説明の便宜上、鉛直上向きを正方向とするＺ軸を含む３次元の直交座標系を図示している。なお、直交座標系は、他の図においても図示している場合がある。
【００２２】
また、直交座標系は、Ｘ軸の正方向視を「左側面」、Ｘ軸の負方向視を「右側面」と規定し、Ｙ軸の負方向視を「正面」と規定している。このため、以下の説明では、Ｘ軸方向を左右方向（水平方向ともいう）、Ｙ軸方向を前後方向、Ｚ軸方向を上下方向（鉛直方向ともいう）という場合がある。
【００２３】
図１に示すように、水洗大便器１は、便器本体（以下、便器という）２と、ボウル部３と、導水路４と、トラップ管路５とを備える。便器２のボウル部３の上縁部には、ボウル部３の中心側となる内側にオーバーハングしているリム６と、導水路４から供給される洗浄水を吐出する第１吐水口７とが設けられる。第１吐水口７から吐出された洗浄水は、ボウル部３内を旋回しながら、ボウル部３を洗浄する。
【００２４】
ボウル部３の下方には、溜水部８が設けられる。なお、図１には、一点鎖線で溜水を示している。溜水部８の下方には、トラップ管路５の入口５ａが開口され、入口５ａから上昇路５ｂが後方へ延びて設けられる。上昇路５ｂには、下降路５ｃが連続している。下降路５ｃの下端部は、排水ソケット（図示せず）を介して床下の排水管（図示せず）に接続される。
【００２５】
また、ボウル部３の上方には、導水路４から供給される洗浄水を吐出する第２吐水口９が設けられる。第２吐水口９から吐出された洗浄水は、溜水部８の溜水を上下方向に旋回させる。これにより、いわゆる旋回流が生じる。
【００２６】
便器２の導水路４の上方には、便器２に供給する洗浄水を貯留する洗浄水タンク装置１０が設けられる。洗浄水タンク装置１０の貯水タンク１２（図２参照）の底面には、便器２の導水路４と連通する排水口１２ａが設けられる。貯水タンク１２内の洗浄水は、排水口１２ａから導水路４へ排出される。
【００２７】
なお、本実施形態では、水洗大便器１として、ボウル部３内の水の落差による流水作用で汚物などを押し流す、いわゆる洗い落し式を例に説明しているが、これに限定されず、水洗大便器１としては、たとえば、サイホン作用を利用してボウル部３内の汚物などを吸い込んでトラップ管路５から一気に排出する、いわゆるサイホン式であってもよい。
【００２８】
＜２．洗浄水タンク装置＞
次に、図２を参照して実施形態に係る洗浄水タンク装置１０について説明する。図２は、実施形態に係る洗浄水タンク装置１０の概略断面図である。なお、図２には、実施形態に係る洗浄水タンク装置１０の正面を示している。図２に示すように、洗浄水タンク装置１０は、外装タンク１１と、貯水タンク１２と、蓋体１３とを備える。貯水タンク１２は、外装タンク１１内に設けられ、洗浄水が貯留される。
【００２９】
蓋体１３は、外装タンク１１の上部に取り付けられ、外装タンク１１と共に洗浄水タンク装置１０の外観を形成する。なお、外装タンク１１および蓋体１３は、たとえば、陶器製である。また、貯水タンク１２の底面には、便器２の導水路４（図１参照）に連通する排水口１２ａが設けられる。
【００３０】
また、洗浄水タンク装置１０は、給水装置１４と、排水弁装置１５と、操作装置１６とを備える。給水装置１４は、水道管などの外部の給水源（図示せず）から供給される洗浄水を貯水タンク１２内へと給水する。排水弁装置１５は、排水口１２ａを開閉する。操作装置１６は、排水弁装置１５を操作する。
【００３１】
給水装置１４は、排水弁装置１５による排水開始の所定時間後、給水を開始する。給水装置１４は、貯水タンク１２の満水時の水位（以下、止水水位という）ＷＬ０を、図２に示す位置で一定となるように給水する。また、給水装置１４は、給水管１７と、フロート（給水装置用フロートともいう）１８と、吐水管１９と、給水バルブ２１とを備える。
【００３２】
給水管１７は、上記した給水源に接続される。フロート１８は、給水装置１４に用いるフロートである。吐水管１９は、給水管１７と連通して貯水タンク１２に洗浄水を吐出する。給水バルブ２１は、フロート１８にレバー２０を介して連結される。また、給水装置１４は、蓋体１３の上面に設けられた手洗いカラン２３に給水する手洗い給水管２２をさらに備える。
【００３３】
手洗いカラン２３は、たとえば、便器２（図１参照）への洗浄水の供給開始時に、蓋体１３の上面に設けられた手洗い鉢１３ａに手洗い用の水を吐出する。また、手洗いカラン２３から吐出された水は、手洗い鉢１３ａに設けられた吐水口（または、流入口ともいう）１３ｂにより貯水タンク１２に入流する。
【００３４】
蓋体１３の下方には、吐水口１３ｂから流入する水を、排水弁装置１５の制御筒２４の外方へ導く導水部材２５が設けられる。操作装置１６は、操作レバー２６と、モータ２７と、操作ボタン２８とを備える。操作レバー２６は、一方（たとえば、図２中の手前側）に所定角度（たとえば、９０度）回転させると、大洗浄が開始される。操作ボタン２８は、大洗浄、小洗浄およびエコ小洗浄の３つのボタンを有する。
【００３５】
また、操作レバー２６は、他方（たとえば、図２中の奥側）に所定角度（たとえば、９０度）回転させると、小洗浄が開始される。このように、操作レバー２６は、排水弁装置１５を作動させる手動式のレバーである。
【００３６】
モータ２７は、大洗浄用のボタンが押されると、操作レバー２６を、上記した一方（たとえば、手前）方向へ回転させる。モータ２７は、小洗浄用のボタンが押されると、操作レバー２６を、上記した他方（たとえば、奥）方向へ回転させる。すなわち、モータ２７は、大洗浄あるいは小洗浄が開始されるように、排水弁装置１５を作動させる。
【００３７】
なお、大洗浄および小洗浄については、操作レバー２６による手動操作としてもよいし、操作ボタン２８による操作としてもよい。また、エコ小洗浄については、モータ２７によって、すなわち、使用者が操作ボタン２８を押すことによって排水弁装置１５が作動される。
【００３８】
また、操作レバー２６およびモータ２７には、ワイヤ部材やユニバーサルジョイントなどによって構成される回転伝達部材２９が連結される。回転伝達部材２９の他端側には、回転伝達部材２９の回転に伴って、回転伝達部材２９を中心に揺動する第１引き上げ部材３０および第２引き上げ部材３１が取り付けられる。第１引き上げ部材３０の先端部には、第１玉鎖３２の上端部が取り付けられる。第２引き上げ部材３１の先端部には、第２玉鎖３３の上端部が取り付けられる。
【００３９】
回転伝達部材２９を一方（たとえば、手前）側に回転させると、第１引き上げ部材３０が一方側に揺動して第１玉鎖３２を引き上げる。一方、回転伝達部材２９を他方（たとえば、奥）側に回転させると、第１引き上げ部材３０および第２引き上げ部材３１が他方側に揺動して、第１玉鎖３２および第２玉鎖３３の双方を引き上げる。
【００４０】
＜３．排水弁装置＞
次に、図３および図４を参照して実施形態に係る洗浄水タンク装置１０に設けられる排水弁装置１５について説明する。図３は、排水弁装置１５の組み立て概略斜視図である。図４は、排水弁装置１５の概略断面図である。なお、図３には、排水弁装置１５の背面よりの斜視を示し、図４には、排水弁装置１５の正面を示している。
【００４１】
また、図４には、排水開始前または排水終了後における排水弁体３５が排水口１２ａを閉止している状態を示している。また、図３および図４には、排水弁装置１５の一例を示している。したがって、本実施形態の構成は、図示の例に限定されない。
【００４２】
図３および図４に示すように、排水弁装置１５は、貯水タンク１２（図２参照）の底面に設けられ、排水口１２ａを開閉することで、排水口１２ａから排出される洗浄水を制御する。排水弁装置１５は、排水弁体３５と、軸部（オーバーフロー管）３６とを備える。
【００４３】
排水弁体３５は、貯水タンク１２の底面において排水口１２ａの上縁に沿って設けられた弁座３４の上端面に上方から接触することにより、排水口１２ａを閉止する。軸部であるオーバーフロー管３６は、上下方向に延びて設けられ、下端部に排水弁体３５が取り付けられる。
【００４４】
オーバーフロー管３６は、排水弁体３５が保持されている弁体保持部３６ａから上方へ延びて制御筒２４に対して上下方向に摺動可能な摺動部材である。また、オーバーフロー管３６は、排水弁体３５が排水口１２ａを閉止している状態で貯水タンク１２内の洗浄水の水位がオーバーフロー管３６の上端を超えた場合に、超えた洗浄水を、オーバーフロー管３６内を通過させて排水口１２ａに流出させる。
【００４５】
また、排水弁装置１５は、排水口形成部材３７と、制御筒２４と、小タンク３８と、フロート３９とを備える。排水口形成部材３７は、貯水タンク１２の底部に接続されて排水口１２ａを形成する。制御筒２４は、排水口形成部材３７の上端部に下端部が接続されて固定される。小タンク３８は、排水口形成部材３７の上端部に下端部が接続されて制御筒２４が内方に配置される。フロート３９は、制御筒２４内に配置され、制御筒２４内の水位に応じて上下動する。
【００４６】
また、排水弁装置１５は、接続部材４０と、切替弁４２（第１切替弁４６、第２切替弁４７、錘４８，４９）とを備える。接続部材４０は、オーバーフロー管３６と第１玉鎖３２とを接続する。切替弁４２は、小タンク３８の側面部に設けられた開口部４１を開閉する。
【００４７】
また、排水弁装置１５は、係止／係止解除機構部４３（図４参照）をさらに備える。係止／係止解除機構部４３は、制御筒２４に対してフロート３９を係止したり、互いの係止を解除したりする。係止／係止解除機構部４３は、フロート３９が排水弁体３５と干渉しないように、制御筒２４の一部に配置される。
【００４８】
係止／係止解除機構部４３は、排水弁体３５が排水口１２ａを閉止している状態において、フロート３９の浮力が排水弁体３５の閉止力を低下させないように、フロート３９を制御筒２４に係止する。また、係止／係止解除機構部４３は、排水弁体３５が所定の開弁位置よりも上方に位置している状態で制御筒２４に対するフロート３９の係止を解除する。
【００４９】
排水弁体３５は、オーバーフロー管３６の下端部に設けられた、たとえば、断面コ字状の弁体保持部３６ａに嵌め込まれ、オーバーフロー管３６と共に上下動して、排水口１２ａを開閉する。また、オーバーフロー管３６の上下方向の中間部よりも上端寄りの側面には、接続部材４０が嵌合されて保持される嵌合凹部３６ｂ（図３参照）が全周にわたって設けられる。
【００５０】
また、オーバーフロー管３６における弁体保持部３６ａと嵌合凹部３６ｂとの間の下端寄りの側面には、オーバーフロー管３６の径方向の外方側に突出し、かつ、上下方向に延びる複数の縦長のリブ３６ｃが周方向に所定間隔をあけて設けられる。これと同様に、オーバーフロー管３６の弁体保持部３６ａと嵌合凹部３６ｂとの間における下端寄りの側面にはオーバーフロー管３６の径方向の外側に突出し、かつ、上下方向に延びる複数のリブ３６ｄが周方向に所定間隔をあけて設けられる。
【００５１】
制御筒２４は、外筒部２４ａと、内筒部２４ｂとを備える。外筒部２４ａは、円筒状に形成される。外筒部２４ａは、フロートが３９が内方に配置される。内筒部２４ｂは、円筒状に形成され、外筒部２４ａの内方に配置される。
【００５２】
内筒部２４ｂは、軸部であるオーバーフロー管３６が内方に配置され、オーバーフロー管３６の上下動をガイドする。なお、オーバーフロー管３６が内筒部２４ｂ内を上下動した場合に、オーバーフロー管３６が内筒部２４ｂの内周面に接触することで、オーバーフロー管３６が上下方向に直動するように規制される。
【００５３】
制御筒２４は、中間水平壁２４ｃ（図４参照）をさらに備える。中間水平壁２４ｃは、外筒部２４ａおよび内筒部２４ｂと共に、洗浄水を貯水可能とする。外筒部２４ａ、内筒部２４ｂおよび中間水平壁２４ｃは、制御筒２４内の貯水部２４ｄを形成する。とくに、中間水平壁２４ｃは、貯水部２４ｄの底面を形成する。
【００５４】
また、外筒部２４ａには、貯水部２４ｄ内に貯留される洗浄水を所定の流量で流出させるための小穴（図示せず）が設けられる。小穴は、切替部材であるスライド部材４４によりスライド開閉され、貯水部２４ｄ内から流出させる洗浄水の流量を調節する。
【００５５】
また、制御筒２４の内筒部２４ｂの下方には、内筒部２４ｂと連通し、排水時に制御筒２４の外方側の洗浄水が流れ込むとともに、排水弁体３５が内方に配置される下方筒部２４ｅが設けられる。また、貯水部２４ｄの内方には、フロート３９が配置される。フロート３９の上方には、接続部材４０がオーバーフロー管３６の嵌合凹部３６ｂ内に側方から嵌め込まれる。接続部材４０は、オーバーフロー管３６に対して水平方向に回転可能に取り付けられる一方、オーバーフロー管３６に対しては上下方向に移動不可能に固定される。
【００５６】
また、接続部材４０には、第１引き上げ部材３０に取り付けられた第１玉鎖３２の下端部が取り付けられる。接続部材４０は、排水時にオーバーフロー管３６を引き上げるために使用される。
【００５７】
たとえば、操作レバー２６を回転させるか、あるいは、操作ボタン２８が押されてモータ２７が作動されると、第１玉鎖３２が引き上げられる。この場合、オーバーフロー管３６および排水弁体３５は、貯水タンク１２内に貯留されている洗浄水のヘッド圧によって鉛直下方向に抑えられているため、接続部材４０がオーバーフロー管３６に対して水平方向に回転した後、オーバーフロー管３６が鉛直上方向へ移動する。
【００５８】
これにより、オーバーフロー管３６が回転しながら鉛直上方向に移動することを防ぐことができ、排水弁装置１５の開弁動作を安定させることができる。また、接続部材４０は、満水時には、フロート３９の上昇を抑えるストッパとしても機能する。接続部材４０は、排水時には、フロート３９の上面に当接して、オーバーフロー管３６および排水弁体３５をフロート３９と共に下降させる。
【００５９】
また、図４に示すように、係止／係止解除機構部４３は、回転可能なカム部材４３ａを備える。オーバーフロー管３６を引き上げると、カム部材４３ａの全体がフロート３９の突起部３９ａの上方に位置するようになり、フロート３９がカム部材４３ａを通過して上昇する。また、オーバーフロー管３６の外周面には、オーバーフロー管３６が上下動する場合にカム部材４３ａを回転させる管側カム４３ｂが設けられる。なお、カム部材４３ａおよび管側カム４３ｂの動作については、図６Ａおよび図６Ｂを用いて後述する。
【００６０】
次に、図５を参照して、排水弁装置１５における排水弁体３５の閉弁時の動作について説明する。図５は、排水弁体３５の動作説明図である。なお、図５には、排水弁装置１５の側断面を模式的に示している。上記したように、排水弁装置１５は、小タンク３８と、制御筒２４と、フロート３９と、軸部であるオーバーフロー管３６と、排水弁体３５とを有する。図５に示すように、小タンク３８は、排水口１２ａを上方から囲むように設けられる。制御筒２４は、小タンク３８の内方に配置される。フロート３９は、制御筒２４の内筒部２４ｂ内に配置される。
【００６１】
また、制御筒２４は、外筒部２４ａと、内筒部２４ｂと、下方筒部２４ｅとを有する。外筒部２４ａは、フロート３９が内方に配置される。内筒部２４ｂは、外筒部２４ａの内方に配置され、オーバーフロー管３６が内方に配置される。下方筒部２４ｅは、内筒部２４ｂの下方において内筒部２４ｂと連通している。下方筒部２４ｅは、オーバーフロー管３６の下端部に取り付けられた排水弁体３５が内方に配置される。
【００６２】
これまで、洗浄水タンク装置では、排水弁体による開弁開始から閉弁までの間、内筒部内に洗浄水が溜まったまま抜けきれず、排水弁体の上方に洗浄水、排水弁体の下方に空気があることで、内筒部内に溜まった洗浄水が排水弁体に対して水錘のように作用することがある。このため、排水弁体が上方から押されるようになり、排水弁体の早閉まりが起きることがある。早閉まりが起きると、便器本体２（図１参照）に供給される洗浄水の量が設定された量よりも少なくなり、便器本体２に洗浄不良や詰まりが発生するおそれがある。
【００６３】
本実施形態では、排水弁体３５の早閉まりを抑制するために内筒部２４ｂ内に溜まった洗浄水が抜けやすい構成としている。具体的には、図５に示すように、本実施形態では、たとえば側面視で排水弁体３５の外周面と下方筒部２４ｅの内周面との間の距離Ｓ１が、排水弁体３５が取り付けられる軸部であるオーバーフロー管３６の外周面と内筒部２４ｂの内周面との間の距離Ｓ２よりも大きい。なお、上記した距離Ｓ１は、距離Ｓ２に対して１．５倍以上であることが好ましい。
【００６４】
また、言い換えると、本実施形態では、平面視において、排水弁体３５の外周面と下方筒部２４ｅの内周面との隙間の面積が、オーバーフロー管３６の外周面と内筒部２４ｂの内周面との隙間の面積よりも大きい。
【００６５】
このように、実施形態に係る洗浄水タンク装置１０によれば、排水弁体３５と下方筒部２４ｅとの間の距離Ｓ１が、排水弁体３５が取り付けられる軸部であるオーバーフロー管３６と内筒部２４ｂとの間の距離Ｓ２よりも大きいため、洗浄操作により排水弁体３５が下降している間に、内筒部２４ｂの内方、および下方筒部２４ｅの内方かつ排水弁体３５の上方に溜まった洗浄水が排水弁体３５と下方筒部２４ｅとの隙間から抜けやすくなる。これにより、排水弁体３５の上方に溜まった洗浄水が水錘として作用するのを抑えることができ、排水弁体３５の早閉まりを抑制することができる。
【００６６】
また、本実施形態では、フロート３９の上面３９ｂが、平面視で中心から外方へ向かう方向（または、側面視で中心線Ｌから外方へ向かう方向ともいう）について下り傾斜している。なお、外方とは、たとえば側面視で中心線Ｌから左右方向に離れる向きのことをいう。フロート３９の上面３９ｂは、傾斜面に加えて、水の抵抗をさらに小さくするために、流線形であるとより好ましい。
【００６７】
このように、実施形態に係る洗浄水タンク装置１０によれば、洗浄操作によりフロート３９が浮き上がるときに、上面３９ｂの下り傾斜面によってフロート３９の水に対する抵抗力が小さくなるため、フロート３９の浮き上がり時間の遅延を抑えることができる。これにより、フロート３９が設定高さに到達する前に下降を開始することを抑えることができ、排水弁体３５の早閉まりを抑制することができる。
【００６８】
また、本実施形態では、内筒部２４ｂの上端部における内周面には、オーバーフロー管３６の外周面と内筒部２４ｂの内周面との間の洗浄水の流路を縮小するために、平面視で内方に向けて突出している流路縮小部５０が設けられる。なお、内方とは、上記した外方とは反対の向きであり、たとえば側面視で中心線Ｌに対して左右方向に近づく向きのことをいう。
【００６９】
なお、流路縮小部５０は、洗浄水の流路を縮小するものであればよく、内筒部２４ｂの内周面の全周にわたって設けられてもよいし、突起状に点在して設けられてもよい。また、流路縮小部５０は、オーバーフロー管３６の外周面に設けられてもよい。
【００７０】
このように、実施形態に係る洗浄水タンク装置１０によれば、内筒部２４ｂ内に上方から洗浄水が浸入するのを抑えることができる。このため、排水弁体３５の上方に洗浄水が溜まりにくくなり、排水弁体３５の上方に溜まった洗浄水が水錘として作用するのを抑えることができる。これにより、排水弁体３５の早閉まりを抑制することができる。
【００７１】
また、本実施形態では、内筒部２４ｂの高さＨ２が外筒部２４ａの高さＨ１よりも高い。言い換えると、内筒部の２４ｂの上端面が、外筒部２４ａの上端面よりも高い位置となるように配置される。
【００７２】
このように、実施形態に係る洗浄水タンク装置１０によれば、洗浄操作により軸部であるオーバーフロー管３６を引き上げた場合に、内筒部２４ｂの高さＨ２が外筒部２４ａの高さＨ１よりも高いことで、内筒部２４ｂ内に水が浸入するのを抑制することができる。排水弁体３５の上方に洗浄水が溜まりにくくなり、排水弁体３５の上方に溜まった洗浄水が水錘として作用するのを抑えることができる。これにより、排水弁体３５の早閉まりを抑制することができる。
【００７３】
なお、上記した実施形態では、内筒部２４ｂの高さＨ２が外筒部２４ａの高さＨ１よりも高い構成としているが、内筒部２４ｂと外筒部２４ａとを同じ高さとしてもよい。このような構成によれば、外筒部２４ａよりも小径な内筒部２４ｂ内の洗浄水の水位が上がりやすいため、一時的に内筒部２４ｂ内の洗浄水の水位が上がることで、内筒部２４ｂ内の洗浄水を外方へ逃がすことができる。これにより、排水弁体３５の上方に洗浄水が溜まりにくくなり、排水弁体３５の上方に溜まった洗浄水が水錘として作用するのを抑えることができる。
【００７４】
次に、図６Ａおよび図６Ｂを参照して、排水弁装置１５の排水動作について説明する。図６Ａおよび図６Ｂは、排水弁装置１５の排水動作説明図である。なお、図６Ａおよび図６Ｂは、一連の排水動作を説明するための図である。このため、図６Ａにおいて最後の動作を示す右側の図と、図６Ｂにおいて最初の動作を示す左側の図とは同一であるので、図６Ａで説明し、図６Ｂにおける説明は省略している。
【００７５】
また、図６Ａおよび図６Ｂでは、排水弁体３５が上昇すると排水口１２ａから排水されるため、図中に示している貯水タンク１２（図２参照）内の洗浄水は徐々に減少する。すなわち、図中の水位ＷＬは、止水水位ＷＬ０から徐々に低くなる。
【００７６】
図６Ａ（左側）に示すように、操作レバー２６（図２参照）が操作されていない、すなわち、第１玉鎖３２が引き上げられていない状態では、排水弁装置１５は、排水弁体３５によって排水口１２ａを閉塞している。この状態では、係止／係止解除機構部４３のカム部材４３ａが、フロート３９の突起部３９ａ（図４参照）を上方から押さえ付けることで、フロート３９の上昇をロックしている。また、オーバーフロー管３６とフロート３９との係合は解除されている。
【００７７】
次いで、図６Ａ（中央）に示すように、操作レバー２６が操作されると、すなわち、第１玉鎖３２が引き上げられると、オーバーフロー管３６が上昇し、これに伴い、排水弁体３５が上昇する。これにより、排水口１２ａが開放されて、排水口１２ａから排水を開始する。また、オーバーフロー管３６が上昇すると、係止／係止解除機構部４３のカム部材４３ａが、オーバーフロー管３６の外周面に設けられた管側カム４３ｂによって回転され、フロート３９のロックが解除される。
【００７８】
このとき、上面３９ｂの下り傾斜面によってフロート３９の水に対する抵抗力が小さくなるため、フロート３９の浮き上がり時間の遅延を抑えることができる。これにより、フロート３９が設定高さに到達する前に下降を開始することを抑えることができ、排水弁体３５の早閉まりを抑制することができる。
【００７９】
次いで、図６Ａ（右側）および図６Ｂ（左側）に示すように、オーバーフロー管３６および排水弁体３５が、設定高さまで上昇すると、これ以降、排水弁体３５は、水位ＷＬの低下に連動するフロート３９と共に下降を開始する。
【００８０】
次いで、図６Ｂ（中央）に示すように、貯水タンク１２（図２参照）内の水位ＷＬの低下によって、排水弁体３５はさらに下降を続ける。このとき、排水弁体３５と下方筒部２４ｅとの間の距離Ｓ１（図５参照）が、オーバーフロー管３６と内筒部２４ｂとの間の距離Ｓ２（図５参照）よりも大きいため、排水弁体３５が下降している間に、内筒部２４ｂの内方、および下方筒部２４ｅの内方かつ排水弁体３５の上方に溜まった洗浄水が排水弁体３５と下方筒部２４ｅとの隙間から抜けやすくなる。これにより、排水弁体３５の上方に溜まった洗浄水が水錘として作用するのを抑えることができ、排水弁体３５の早閉まりを抑制することができる。
【００８１】
また、このとき、内筒部２４ｂの上端部に流路縮小部５０（図５参照）が設けられることで、内筒部２４ｂ内に上方から洗浄水が浸入するのを抑えることができる。このため、排水弁体３５の上方に洗浄水が溜まりにくくなり、排水弁体３５の上方に溜まった洗浄水が水錘として作用するのを抑えることができる。これにより、排水弁体３５の早閉まりを抑制することができる。
【００８２】
オーバーフロー管３６が下降し、管側カム４３ｂがカム部材４３ａの側方を通過すると、カム部材４３ａを回転（オーバーフロー管３６の上昇時とは逆回転）させる。これにより、カム部材４３ａは元の姿勢に戻り、フロート３９をロック可能な状態となる。なお、フロート３９が最下位置まで下降した場合に、カム部材４３ａは再びフロート３９の浮き上がりをロックする。
【００８３】
そして、図６Ｂ（右側）に示すように、オーバーフロー管３６と共に下降する排水弁体３５が、排水口１２ａを閉塞すると、排水口１２ａからの排水が終了する。なお、排水弁体３５が排水口１２ａを閉塞して排水が終了した場合の貯水タンク１２（図２参照）内における洗浄水の水位を死水水位ＤＷＬという。
【００８４】
なお、上記した洗浄水タンク装置１０と、便器本体（便器）２（図１参照）とを備える水洗大便器１によれば、排水弁装置１５を備えることで、排水弁体３５と下方筒部２４ｅとの間の距離Ｓ１が軸部であるオーバーフロー管３６と内筒部２４ｂとの間の距離Ｓ２よりも大きいため、洗浄操作により排水弁体３５が下降している間に、内筒部２４ｂの内方および下方筒部２４ｅの内方かつ排水弁体３５の上方に溜まった洗浄水が排水弁体３５と下方筒部２４ｅとの間から抜けやすくなる。これにより、排水弁体３５の上方に溜まった洗浄水が水錘として作用するのを抑えることができ、排水弁体３５の早閉まりを抑制することができる。
【００８５】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００８６】
１    水洗大便器
２    便器本体（便器）
３    ボウル部
４    導水路
５    トラップ管路
５ａ  入口
５ｂ  上昇路
５ｃ  下降路
６    リム
７    第１吐水口
８    溜水部
９    第２吐水口
１０    洗浄水タンク装置
１１    外装タンク
１２    貯水タンク
１２ａ  排水口
１３    蓋体
１３ａ  手洗い鉢
１３ｂ  吐水口（流入口）
１４    給水装置
１５    排水弁装置
１６    操作装置
１７    給水管
１８    給水装置用フロート
１９    吐水管
２０    レバー
２１    給水バルブ
２２    手洗い給水管
２３    手洗いカラン
２４    制御筒
２４ａ  外筒部
２４ｂ  内筒部
２４ｃ  中間水平壁
２４ｄ  貯水部
２４ｅ  下方筒部
２５    導水部材
２６    操作レバー
２７    モータ
２８    操作ボタン
２９    回転伝達部材
３０    第１引き上げ部材
３１    第２引き上げ部材
３２    第１玉鎖
３３    第２玉鎖
３４    弁座
３５    排水弁体
３６    軸部（オーバーフロー管）
３６ａ  弁体保持部
３６ｂ  嵌合凹部
３６ｃ  リブ
３６ｄ  リブ
３７    排水口形成部材
３８    小タンク
３９    フロート
３９ａ  突起部
３９ｂ  上面
４０    接続部材
４１    開口部
４２    切替弁
４３    係止／係止解除機構部
４４    スライド部材
４６    第１切替弁
４７    第２切替弁
４８    錘
４９    錘
５０    流路縮小部
ＷＬ    水位
ＷＬ０  止水水位
ＤＷＬ  死水水位
【図１】
2018109261.tif 000003
【図２】
2018109261.tif 000004
【図３】
2018109261.tif 000005
【図４】
2018109261.tif 000006
【図５】
2018109261.tif 000007
【図６Ａ】
2018109261.tif 000008
【図６Ｂ】
2018109261.tif 000009